【事件の表示】
　特願２０００−２２７７１４「遊技機」拒絶査定不服審判事件〔平成１４年　２月　５日出願公開、特開２００２−　３５２８７〕について、次のとおり審決する。
【結　論】
　本件審判の請求は、成り立たない。
【理　由】
１．手続の経緯
　本願は、平成１２年７月２７日の出願であって、平成１４年１１月２９日付けで拒絶理由が通知され、これに対し平成１５年２月７日付けで手続補正がなされ、平成１５年８月５日付けで最後の拒絶理由が通知され、これに対し平成１５年１０月１５日付けで手続補正がなされ、平成１５年１２月２４日付けで拒絶査定がなされると同時に平成１５年１０月１５日付けの手続補正についての補正却下の決定がなされ、これに対し、平成１６年２月４日に拒絶査定に対する審判請求がなされるとともに、同日付けで手続補正がなされたものである。
　　　　　　　　　　　　　　　　　　　　　　　　　　　　　　　　　
２．平成１６年２月４日付けの手続補正（以下、「本件補正」という。）について
　　　　　　　　　　　　　　　　　　　　　　　　　　　　　　　　　
［
補正却下の決定の結論
　平成１６年２月４日付けの手続補正を却下する。 
　　　　 　　　　　　　　　　　　　　　　　　　　　　　　　　　　　
［理由］
（１）補正の目的について
　平成１６年２月４日付けでなされた本件補正は、平成１５年１０月１５日付けの手続補正が却下されているので、平成１５年２月７日付けの手続補正により補正された特許請求の範囲の、
「【請求項１】遊技に必要な複数種類の第１図柄(43)〜(45)が表わされた複数個の回胴体(19)〜(21)と、該回胴体(19)〜(21)を別々に駆動する駆動手段(22)〜(24)と、前記回胴体(19)〜(21)の内部に配置され且つ第２図柄(46)を変動表示可能な電気的表示手段(25)とを備え、変動要求に基づいて前記回胴体(19)〜(21)を回動させて第１図柄(43)〜(45)を変動制御する第１図柄制御手段(63)と、変動要求に基づいて前記電気的表示手段(25)の第２図柄(46)を変動制御する第２図柄制御手段(64)とを別々に設け、内部に前記電気的表示手段(25)が配置された前記回胴体(19)〜(21)の胴部全体を透明状に構成して、前記回胴体(19)〜(21)の前記第１図柄(43)〜(45)の背景を前記電気的表示手段(25)で表示可能に構成したことを特徴とする遊技機。」
を以下のように補正することを含むものである。　
             　　　　　　　　　　　　　　　　　　　　　　　　　　
「【請求項１】遊技に必要な複数種類の第１図柄(43)〜(45)が表わされた複数個の回胴体(19)〜(21)と、該回胴体(19)〜(21)を別々に駆動する駆動手段(22)〜(24)と、前記回胴体(19)〜(21)の内部に配置され且つ第２図柄(46)を変動表示可能な電気的表示手段(25)とを備え、変動要求に基づいて前記回胴体(19)〜(21)を回動させて前記第１図柄(43)〜(45)を変動制御する第１図柄制御手段(63)と、変動要求に基づいて前記電気的表示手段(25)の前記第２図柄(46)を変動制御する第２図柄制御手段(64)とを別々に設け、内部に前記電気的表示手段(25)が配置された前記回胴体(19)〜(21)の胴部(20c)(21c)全体を透明状に構成すると共に、該胴部(20c)(21c)の一部に、前記電気的表示手段(25)に対応可能であり且つ前記第２図柄(46)を透視できる視認部(20d)(21d)を設け、前記図柄制御手段(63)(64)は、変動表示に当たって前記視認部(20d)(21d)が前記電気的表示手段(25)に対応するように前記胴部(20c)(21c)を停止させた状態で、前記電気的表示手段(25)により前記第２図柄(46)の変動表示を行い、その後に前記回胴体(19)〜(21)を回動させて停止させる機能を備えたことを特徴とする遊技機。」 
　　　 　　　　　　　　　　　　　　　　　　　　　　　　　　　　　
　本件補正により、特許請求の範囲の請求項１は、補正前に発明特定事項とされていた「前記回胴体(19)〜(21)の前記第１図柄(43)〜(45)の背景を前記電気的表示手段(25)で表示可能に構成」なる事項が削除されている。 
　ところで、拒絶査定不服審判を請求する場合にする補正は、特許法第１７条の２第３項に規定する、願書に最初に添付した明細書又は図面に記載した事項の範囲内においてしなければならないだけでなく、特許法第１７条の２第４項各号に掲げる事項を目的とするものに限られている。
　そして、補正前の発明特定事項の一部を削除する本件補正は、特許法第１７条の２第４項第２号に規定する限定的減縮を目的とするものに該当しないばかりでなく、同法第１７条の２第４項のその他各号に規定する、請求項の削除、誤記の訂正、明りょうでない記載の釈明を目的とする補正でないことも明らかであるから、本件補正は、同法第１７条の２第４項各号のいずれにも適合しない。
　　　　　　　　　　　　　　　　　　　　　　　　　　　　　　　　　
（２）むすび
　以上のとおり、本件補正は、特許法第１７条の２第４項の規定に違反するものであるから、特許法第１５９条第１項の規定において読み替えて準用する同法第５３条第１項の規定により却下されるべきものである。 
　　　　　　 　　　　　　　　　　　　　　　　　　　　　　　　　　　
３．本願発明について 
　平成１６年２月４日付けの手続補正は上記のとおり却下され、平成１５年１０月１５日付けの手続補正も却下されているので、本願の請求項１に係る発明（以下、「本願発明」という。）は、平成１５年２月７日付けの手続補正書の特許請求の範囲の請求項１に記載された事項により特定される、以下のとおりのものである。
「遊技に必要な複数種類の第１図柄(43)〜(45)が表わされた複数個の回胴体(19)〜(21)と、該回胴体(19)〜(21)を別々に駆動する駆動手段(22)〜(24)と、前記回胴体(19)〜(21)の内部に配置され且つ第２図柄(46)を変動表示可能な電気的表示手段(25)とを備え、変動要求に基づいて前記回胴体(19)〜(21)を回動させて第１図柄(43)〜(45)を変動制御する第１図柄制御手段(63)と、変動要求に基づいて前記電気的表示手段(25)の第２図柄(46)を変動制御する第２図柄制御手段(64)とを別々に設け、内部に前記電気的表示手段(25)が配置された前記回胴体(19)〜(21)の胴部全体を透明状に構成して、前記回胴体(19)〜(21)の前記第１図柄(43)〜(45)の背景を前記電気的表示手段(25)で表示可能に構成したことを特徴とする遊技機。」
　　　　　　　　　　　　　　　　　　　　　　　　　　　　　　　　　
（１）引用発明 
　原査定の拒絶の理由に引用された、本願の出願前に頒布された刊行物である下記の各刊行物にはそれぞれ次の発明が記載されている。
(１-1)　特開平１１−２１６２１９号公報
　特開平１１−２１６２１９号公報（以下、「引用例１」という。）には以下の記載がある。
1-a 「本発明を用いたビデオタイプのスロットマシンの外観を示す図５において、スロットマシン本体の中央にはＣＲＴ２が嵌め込まれ、これがシンボル表示窓として用いられている。ＣＲＴ２には、グラフィックデータに基づいて映像化された擬似の第１リール３，第２リール４，第３リール５、さらに横３本，斜め２本の入賞ライン６が表示されている。」（段落【０００９】）
1-b 「第１〜第３リール３〜５には縦方向にシンボル（ブランクシンボルも含む）が配列され、これにより各リール３〜５ごとにシンボル列が構成されており、ＣＲＴ２には、各リールについて３個ずつ、合計９個のシンボルが表示される。・・・」（段落【００１０】）
1-c 「・・・各々のリール３〜５は・・・外リール３ａ，内リール３ｂ，外リール４ａ，内リール４ｂ，外リール５ａ，内リール５ｂからなる。外リール３ａ〜５ａおよび内リール３ｂ〜５ｂには、「ブランク（空白）」，「スター」，「７」，「１ＢＡＲ」，「２ＢＡＲ」，「３ＢＡＲ」，「チェリー」等のシンボルが配列されている。そして、スタートボタン８を押したときには外リール３ａ〜５ａは上から下向きに移動表示され、内リール３ｂ〜５ｂは下から上向きに移動表示される。・・・」（段落【００１１】）
1-d 「また、外リール３ａ〜５ａあるいは内リール３ｂ〜５ｂのいずれかだけにシンボルを配列し、他方のリールについては背景色を施しておき、入賞ライン上における背景色だけの組合せ、シンボルだけの組合せ、さらには背景色とシンボルとの組合せで種々の入賞ランクを決めることも可能である。」（段落【００２９】）
1-e 「・・・本発明はリール駆動タイプのスロットマシンにも用いることができ、この場合には外リールを透明にした上でシンボルやブランクを配列し、外リールを通して内リールのシンボルが観察できるようにしておけばよい。」（段落【００３２】）
　　　　　　　　　　　　　　　　　　　　　　　　　　　　　　　　　
　上記の記載によれば、引用例１（特開平１１−２１６２１９号公報）には、「擬似の第１リール３，第２リール４，第３リール５」を表示する「ビデオタイプのスロットマシン」に代えて、「リール駆動タイプのスロットマシンにも用いることができ」（摘示1-e）ることが記載されており、該「リール駆動タイプのスロットマシン」に係る発明（以下、「引用発明１」という）は以下のものと認められる。
「スロットマシン本体の中央にはシンボル表示窓が嵌め込まれ、第１リール３，第２リール４，第３リール５、さらに横３本，斜め２本の入賞ライン６が表示され、第１〜第３リール３〜５には縦方向にシンボル（ブランクシンボルも含む）が配列され、これにより各リール３〜５ごとにシンボル列が構成されており、シンボル表示窓には各リールについて３個ずつ、合計９個のシンボルが表示され、各々のリール３〜５は、外リール３ａ，内リール３ｂ，外リール４ａ，内リール４ｂ，外リール５ａ，内リール５ｂからなり、外リール３ａ〜５ａおよび内リール３ｂ〜５ｂには、「ブランク（空白）」，「スター」，「７」，「１ＢＡＲ」，「２ＢＡＲ」，「３ＢＡＲ」，「チェリー」等のシンボルが配列されていて、透明に形成した外リールを通して内リールのシンボルが観察できるようにされており、スタートボタン８を押したときには外リール３ａ〜５ａは上から下向きに移動表示され、内リール３ｂ〜５ｂは下から上向きに移動表示され、また、外リール３ａ〜５ａあるいは内リール３ｂ〜５ｂのいずれかだけにシンボルを配列し、他方のリールについては背景色を施しておき、入賞ライン上における背景色だけの組合せ、シンボルだけの組合せ、さらには背景色とシンボルとの組合せで種々の入賞ランクを決めることも可能な、スロットマシン。」
　　　　　　　　　　　　　　　　　　　　　　　　　　　　　　　　　
(１-2)　特開平３−６０６８１号公報
　特開平３−６０６８１号公報（以下、「引用例２」という。）には以下の記載がある。
2-a「スロットマシンの外観を示す第３図において、前面パネル２には３個の表示窓３〜５が設けられ、表示窓３〜５の奥には第１〜第３リール６〜８が回転自在に配置されている。これらのリール６〜８の外周には一定ピッチで複数個のシンボルが配列され、各々シンボル列を構成している。そして、表示窓３〜５を通してリール６〜８のシンボルをそれぞれ３個ずつ観察することができるようになっている。」（第２頁右下欄第１−９行）
2-b「表示窓３〜５には横３本、斜め２本の合計５本の入賞ライン９が記され・・・る。１〜３枚のコインを投入口１０から入れた後、スタートレバー１２を操作すると第１〜第３リール６〜８が一斉に回転し、リールごとに設けられたストップボタン１３〜１５を押すとリールが停止する。リールが停止したとき、有効化された入賞ライン上に停止しているシンボルを組み合わせて入賞の有無が表示される。そして、シンボルの組み合わせが入賞に該当していると、その入賞役に応じて予め定められた枚数の配当コインが払い出される。」（第２頁右下欄第１０行−第３頁左上欄第５行）
2-c「第１リール６は二重構造をしたリールユニット２０の外側リールとなっており、その内側には同軸で回転自在な内リール１７が設けられている。これらの第１リール６及び内リール１７は、それぞれステッピングモータ１８，１９の駆動軸１８a，１９aに直結され、各々個別に駆動される。」（第３頁左上欄第８−１４行）
2-d「第１リール６の外周には、図示のように「７」，「プラム」，「オレンジ」，・・・等のシンボルが配列されるとともに、特殊シンボルとしてほぼシンボル１個分の大きさの開口窓２５が形成されている。また、内リール１７の外周にも「７」，「プラム」，「ＢＡＲ」その他のシンボルが配列されている。」（第３頁左上欄第１９行−右上欄第５行）
2-e「第１リール６の開口窓２５が表示窓３に現れているときには、開口窓２５を通して内リール１７のシンボル１個を観察することができる。・・・開口窓２５の大きさを複数個分のシンボルサイズに対応した大きなものにしてもよい。」（第３頁右上欄第１２−１８行）
2-f「第１リール６、内リール１７を駆動するステッピングモータ１８，１９の回転及び停止は、それぞれモータ制御回路３０，３１によって制御される。同様に、第２リール７、第３リール８を駆動するステッピングモータ３２，３３の回転、停止はモータ制御回路３４，３５によって制御される。」（第３頁左下欄第４−１０行）
2-g「第７図は、本発明の他の実施例を示すもので、例えば前述した第１実施例の第１リール６の代わりに用いることができる。ステッピングモータ７０によって駆動されるリール７１の外周には複数のシンボルが一定ピッチで配列され、そのシンボル配列中にはシンボル１個分の開口７２が形成されている。・・・リール７１の内壁には、液晶表示パネル７５の他、電池及び表示パターンデータを格納したメモリを含むドライブユニット７６、光信号受光部７７が取り付けられ、液晶表示パネル７５の表示面は、開口７２から露出している。」（第７頁左上欄第２−１４行）
2-h「液晶表示パネル７５には複数種類のシンボルが順次に表示され、擬似的にシンボルの移動表示が行われる。そして、停止制御時には予め停止シンボル決定回路５４で決められたシンボル表示を行うように、表示データ発信器７８を駆動すれば、すでに述べた第１実施例と同様の機能を得ることができる。」（第７頁右上欄第１４−２０行）
　　　　　　　　　　　　　　　　　　　　　　　　　　　　　　　　　
　上記の記載より、引用例２（特開平３−６０６８１号公報）には、以下の発明（以下、「引用発明２」という）が記載されていると認められる。
　「前面パネル２には３個の表示窓３〜５が設けられ、表示窓３〜５の奥には第１リール６、第２リール７、第３リール８が回転自在に配置されており、これらのリールの外周には一定ピッチで複数個のシンボルが配列され、各々シンボル列を構成し、表示窓３〜５を通してリールのシンボルをそれぞれ３個ずつ観察することができるようになっており、表示窓３〜５には横３本、斜め２本の合計５本の入賞ライン９が記され、１〜３枚のコインを投入口１０から入れた後、スタートレバー１２を操作すると第１〜第３リールが一斉に回転し、リールごとに設けられたストップボタン１３〜１５を押すとリールが停止し、有効化された入賞ライン上に停止しているシンボルを組み合わせて入賞の有無が表示され、シンボルの組み合わせが入賞に該当していると、その入賞役に応じて予め定められた枚数の配当コインが払い出されるスロットマシンにおいて、第１リール６の外周には「７」，「プラム」，「オレンジ」，・・・等のシンボルが一定ピッチで配列されるとともに、特殊シンボルとしてほぼシンボル１個分の大きさの開口窓２５が形成され、また、内リール１７の外周にも「７」，「プラム」，「ＢＡＲ」その他のシンボルが配列され、第１リール６の開口窓２５が表示窓に現れているときには、開口窓２５を通して内リール１７のシンボル１個を観察することができるもので、開口窓２５の大きさを複数個分のシンボルサイズに対応した大きなものにしてもよく、さらに第１リール６が「開口窓」を停止表示しているときには、開口窓２５を通して観察される内リール１７についてもカウンタ４７のカウント値が参照され、シンボル判定が行われるもので、第１リール６の代わりに、外周に複数のシンボルが一定ピッチで配列され、そのシンボル配列中にはシンボル１個分の開口７２が形成され、リール７１の内壁には液晶表示パネル７５を取り付けたリール７１を用いることができ、さらにリール７１の内壁には、液晶表示パネル７５の他、電池及び表示パターンデータを格納したメモリを含むドライブユニット７６、光信号受光部７７が取り付けられ、液晶表示パネル７５の表示面は開口７２から露出して複数種類のシンボルが順次に表示され、擬似的にシンボルの移動表示が行われて、内リール１７を用いた場合と同様の機能を得ることができる、スロットマシン。」
　　　　　　　　　　　　　　　　　　　　　　　　　　　　　　　　　
(１-3)　特開平２０００−１１６８４３号公報
　特開平２０００−１１６８４３号公報（以下、「引用例３」という。）には以下の記載がある。
3-a 「【請求項１】　円周方向に一定間隔おきに文字や数字や絵柄などの識別記号を付した複数の回転体を有し、視認可能な有効表示領域に回転体の回転角度に応じて識別記号を可変表示する第１表示手段と、
　少なくとも１つの回転体の少なくとも１つの特定表示部位における識別記号を第１表示手段とは異なる表示機構で可変表示する第２表示手段と、
　を備えたことを特徴とする遊戯機。
　【請求項２】　前記第２表示手段として、回転体の特定表示部位に液晶表示手段を設けた請求項１記載の遊戯機。
　【請求項３】　前記回転体の特定表示部位に透視窓を設け、第２表示手段として、有効表示領域の後方に透視窓を通して視認可能に液晶表示手段を設けた請求項１記載の遊戯機。」（特許請求の範囲の請求項１ないし３）
3-b「・・・第１表示手段２の３つの回転ドラム１０の外周部には帯状にフィルム体１１が外装され、フィルム体１１には円周方向に一定間隔おきに文字や数字や絵柄などの識別記号が印刷等により形成され、これら３つの回転ドラム１０は図示外のステッピングモータによりぞれぞれに独立に回転駆動される。・・・スロットマシン１の前面パネルの上部には３つの回転ドラム１０に対応させて３つの表示窓１２が設けられ、各回転ドラム１０は、その前部の３つの識別記号が表示窓１２から視認できるように配置されている。・・・」（段落【００１０】）
3-c「第２表示手段３は、周知の構成の液晶表示パネル１６を備えており、この液晶表示パネル１６は右端に配置される回転ドラム１０の照明手段１３のフレーム１４の前面に、フレーム１４に形成した３つの凹部１４ａに対応させてそれぞれ設けられている。また、右端の回転ドラム１０のフィルム体１１の特定表示部位には透視窓１７が設けられ、この透視窓１７を通して液晶表示パネル１６を視認できるように構成されている。・・・液晶表示パネル１６は、制御手段６により制御され、回転ドラム１０にプリントした識別記号と同様の識別記号を表示可能に構成されている。・・・」（段落【００１１】）
　　　　　　　　　　　　　　　　　　　　　　　　　　　　　　　　　
　上記の記載より、引用例３（特開２０００−１１６８４３号公報）には、以下の発明（以下、「引用発明３」という）が記載されていると認められる。
　「円周方向に一定間隔おきに文字や数字や絵柄などの識別記号を付した複数の回転体を有し、視認可能な有効表示領域に回転体の回転角度に応じて識別記号を可変表示する第１表示手段と、少なくとも１つの回転体の少なくとも１つの特定表示部位に透視窓を設け、第２表示手段として、有効表示領域の後方に透視窓を通して視認可能に液晶表示手段を設けたスロットマシンであって、第１表示手段２の３つの回転ドラム１０の外周部には帯状にフィルム体１１が外装され、フィルム体１１には円周方向に一定間隔おきに文字や数字や絵柄などの識別記号が印刷等により形成され、これら３つの回転ドラム１０はステッピングモータによりそれぞれに独立に回転駆動され、スロットマシン１の前面パネルの上部には３つの回転ドラム１０に対応させて３つの表示窓１２が設けられ、各回転ドラム１０は、その前部の３つの識別記号が表示窓１２から視認できるように配置されており、第２表示手段３は、周知の構成の液晶表示パネル１６を備えており、この液晶表示パネル１６は右端に配置される回転ドラム１０の照明手段１３のフレーム１４の前面に、フレーム１４に形成した３つの凹部１４ａに対応させてそれぞれ設けられ、また、右端の回転ドラム１０のフィルム体１１の特定表示部位には透視窓１７が設けられ、この透視窓１７を通して液晶表示パネル１６を視認できるように構成されており、液晶表示パネル１６は制御手段６により制御され、回転ドラム１０にプリントした識別記号と同様の識別記号を表示可能に構成されている、スロットマシン。」
　　　　　　　　　　　　　　　　　　　　　　　　　　　　　　　　　
（２）対比・判断
　本願発明と引用発明１とを対比すると、両者はともに遊技機であって、引用発明１における「外リール」は本願発明における「回胴体」に対応しており、同様に、「（外リールの）シンボル」は「第１図柄」に、「（内リールの）シンボル」は「第２図柄」に、それぞれ対応しており、さらに引用発明１について次のことがいえる。
(i) 引用発明１において、「外リール３ａ〜５ａ」には、「ブランク（空白）」，「スター」，「７」，「１ＢＡＲ」，「２ＢＡＲ」，「３ＢＡＲ」，「チェリー」等のシンボルが配列されて」（摘示1-c） おり、「外リール３ａ〜５ａ」（本願発明における「回胴体」に対応する。）に「配列」された上記の「シンボル」（本願発明における「第１図柄」に対応する。）は、その機能に照らすと、本願発明を特定する「遊技に必要な複数種類の第１図柄」に対応するものであるから、同引用発明１は、本願発明を特定する「遊技に必要な複数種類の第１図柄が表わされた複数個の回胴体」の事項に対応する構成を備えているということができる。
　　　　　　　　　　　　　　　　　　　　　　　　　　　　　　　　　
(ii) 引用発明１における「第１リール３，第２リール４，第３リール５」は、「外リール３ａ，内リール３ｂ，外リール４ａ，内リール４ｂ，外リール５ａ，内リール５ｂからな」るものであり、これらの各リール、とりわけ「外リール３ａ，外リール４ａ，外リール５ａ」は、引用発明２（摘示2-f）や引用発明３（摘示3-b）を参照するまでもなく、駆動手段により別々に駆動されることは明らかであり、同引用発明１は、本願発明を特定する「回胴体を別々に駆動する駆動手段」の事項に対応する構成を備えているということができる。
　　　　　　　　　　　　　　　　　　　　　　　　　　　　　　　　　
(iii) 引用発明１における「内リール３ｂ〜５ｂ」は、「外リール３ａ〜５ａ」（「回胴体」）の内部に配置されるとともに、「「ブランク（空白）」，「スター」，「７」，「１ＢＡＲ」，「２ＢＡＲ」，「３ＢＡＲ」，「チェリー」等のシンボル」（本願発明における「第２図柄」に対応する。）が「配列され」たものであり、上記「内リール３ｂ〜５ｂ」の「移動表示」（摘示1-c ）により、上記「シンボル」（「第２図柄」）は「変動表示可能」とされている。そして、上記「内リール３ｂ〜５ｂ」は「表示手段」という概念に包含されるものであるから、同引用発明１は「外リール３ａ〜５ａ」（「回胴体」）の内部に配置され且つ「シンボル」（「第２図柄」）を「移動表示」（本願発明における「変動表示」に対応する。）可能な「表示手段」を備えていると包括して表現することができる。
　一方、本願発明は「回胴体(19)〜(21)の内部に配置され且つ第２図柄(46)を変動表示可能な電気的表示手段(25)とを備え」ることをその発明特定事項とするものであり、上記「電気的表示手段(25)」は「表示手段」という概念に包含されるものであるから、本願発明は「回胴体の内部に配置され且つ第２図柄を変動表示可能な表示手段とを備え」と包括して表現することができる。
　そうすると、本願発明と引用発明１とは「回胴体の内部に配置され且つ第２図柄を変動表示可能な表示手段とを備え」た点で共通しているということができる。
　　　　　　　　　　　　　　　　　　　　　　　　　　　　　　　　　
(iv) 引用発明１は「スタートボタン８を押したときには外リール３ａ〜５ａは上から下向きに移動表示され」（摘示1-c ）るものであり、上記「スタートボタン８」の「押下」は、その機能に照らすと本願発明における「変動要求」に対応するものといえる。そして、引用発明１は実質上、「外リール３ａ〜５ａ」（「回胴体」）を回動させて「シンボル」（「第１図柄」）の「移動表示」（本願発明における「変動表示」に対応する。）を制御する制御手段（本願発明における「第１図柄制御手段」に対応する制御手段。）を備えているといえる。
　そうすると、同引用発明１は、本願発明を特定する「変動要求に基づいて前記回胴体を回動させて第１図柄を変動制御する第１図柄制御手段」の事項に対応する構成を実質的に備えているということができる。
　さらに引用発明１は「スタートボタン８を押したとき」（上記したように、本願発明における「変動要求」に対応する。）に、「内リール３ｂ〜５ｂは下から上向きに移動表示され」（摘示1-c ）るものであり、同引用発明１は実質上、「内リール３ｂ〜５ｂ」（上記(iii)に記載したように、「表示手段」に包含される。）の「シンボル」（「第２図柄」）の「移動表示」（本願発明における「変動表示」に対応する。）を制御する制御手段（本願発明における「第２図柄制御手段」に対応する制御手段。）を備えていると包括して表現することができるとともに、該「制御手段」（「第２図柄制御手段」）は、上記した、「外リール３ａ〜５ａ」（「回胴体」）の「シンボル」（「第１図柄」）の「移動表示」（「変動」）を制御する制御手段（「第１図柄制御手段」）とは別々に設けられていることが明らかである。
　そうすると、本願発明と引用発明１とは「変動要求に基づいて前記表示手段の第２図柄を変動制御する第２図柄制御手段とを別々に設け」た点で共通しているということができる。
　　　　　　　　　　　　　　　　　　　　　　　　　　　　　　　　　
(v) 引用発明１は、「透明に形成した外リールを通して内リールのシンボルが観察できる」（摘示1-e ）ものであり、「外リール」の内部に配置した「内リール」を「表示手段」と包括して表現することができることは上記したとおりであるから、本願発明と引用発明１とは「内部に前記表示手段が配置された前記回胴体の胴部全体を透明状に構成し」た点で共通しているということができる。
　　　　　　　　　　　　　　　　　　　　　　　　　　　　　　　　　
　以上の事項より、本願発明と引用発明１とは以下の点で一致し、また、相違していると認められる。
一致点；
　遊技に必要な複数種類の第１図柄が表わされた複数個の回胴体と、該回胴体を別々に駆動する駆動手段と、前記回胴体の内部に配置され且つ第２図柄を変動表示可能な表示手段とを備え、変動要求に基づいて前記回胴体を回動させて第１図柄を変動制御する第１図柄制御手段と、変動要求に基づいて前記表示手段の第２図柄を変動制御する第２図柄制御手段とを別々に設け、内部に前記表示手段が配置された前記回胴体の胴部全体を透明状に構成した遊技機、である点。
　　　　　　　　　　　　　　　　　　　　　　　　　　　　　　　　　
相違点；
(A) 表示手段が、本願発明では電気的表示手段であるのに対して、引用発明１では内リールである点。
(B) 表示手段による表示が、本願発明では、回胴体の第１図柄の背景を表示可能に構成したものであるのに対して、引用発明１では外リール（回胴体）のシンボルの背景を表示可能とされているか明らかでない点。
　　　　　　　　　　　　　　　　　　　　　　　　　　　　　　　　　
　上記の相違点について検討する。
　(A)の相違点について
　遊技に必要な複数種類の図柄が表わされた複数個のリール（回胴体）と、該リール（回胴体）を別々に駆動する駆動手段と、前記リール（回胴体）の内部に配置され且つ図柄を変動表示可能な電気的表示手段とを備えた遊技機は、例えば上記引用発明２または引用発明３に例示されるように周知技術であり、引用発明１における「外リール」の内部に配置され且つ図柄を変動表示可能な「内リール」に代えて、「外リール」の内部に配置され且つ図柄を変動表示可能な、上記した周知技術に係る電気的表示手段を用いることは当業者であれば適宜に行うことであり、また、上記した表示手段の変更を妨げる特段の要因も存在していないから、(A)の相違点は単なる設計の変更にすぎない。
　　　　　　　　　　　　　　　　　　　　　　　　　　　　　　　　　
　(B)の相違点について
  「(A)の相違点について」において記載したように、引用発明１における「内リール」に代えて図柄を変動表示可能な電気的表示手段を用いることは単なる設計の変更にすぎない。
  ところで、遊技機の図柄変動装置（例えば、引用発明２及び３が備える外側のリール（回胴体））とともに用いられる電気的表示手段は、引用発明２及び３が開示するように、それ自体で図柄を変動表示可能に構成されるものであるが、「図柄を変動表示」する以外にも、他の表示手段とともに用いて、当該他の表示手段が変動表示する図柄に対して付加的な表示を行う表示手段としても用いられる。例えば下記の周知例１における「ＬＣＤ等の電気的な可変表示器４７」は、「外回転ドラム８１」が表示する図柄と同色の「図柄無効表示」と、図柄を透視し得る透明の「図柄有効表示」とを表示可能とされており、同じく下記の周知例２における「液晶表示板１０９」（電気的表示手段）は、「リール１０１〜１０３」が表示する絵柄の組み合わせが「役」になり得るときに、「破線１４０」や点滅表示を行うように構成されており、さらに下記の周知例３における「液晶表示パネル１６ｉ」（電気的表示手段）の「背景画面」は、「図柄面」が表示する「リール画像」に対して「背景画像」を表示するよう構成されている。
　ここで、引用発明１をさらにみると、同引用発明１は、「外リールを透明にした上でシンボルやブランクを配列し、外リールを通して内リールのシンボルが観察できる」（摘示1-e ）ようにすることで、「内リール」はそれ自体で図柄変動を行うように構成されるものであり、さらに上記した形態とは別に、「外リール３ａ〜５ａあるいは内リール３ｂ〜５ｂのいずれかだけにシンボルを配列し、他方のリールについては背景色を施しておき、入賞ライン上における背景色だけの組合せ、シンボルだけの組合せ、さらには背景色とシンボルとの組合せ」（摘示1-d）として表示するよう構成し、例えば「外リール」に「シンボル」を配列し、「内リール」に「背景色」を施すことで、「外リール」の「シンボル」と「内リール」の「背景色」とが重なり合い、合成されて「シンボル」と「背景色」とが停止表示されるよう、上記「内リール」は、「外リール」が行う図柄変動表示に対して付加的な背景の表示を行う表示手段として用いることも可能なものである。
　これらの事項を総合勘案すると、引用発明１における「外リール」の内部に配置され且つ図柄を変動表示可能な「内リール」に代えて、同じく図柄を変動表示可能な、上記した周知技術に係る電気的表示手段を設けた遊技機において、図柄を変動表示可能な上記電気的表示手段で背景を表示可能に構成することも十分に可能なことであり、当業者であれば容易に想到することができたものである。
　そして、上記の各相違点に係る構成を発明特定事項として備えた本願発明の効果も、引用発明１並びに引用発明２、３及び周知技術から当業者が容易に予測し得る範囲内のものであって、格別顕著なものとはいえない。
　したがって、本願発明は、引用発明１並びに引用発明２、３及び周知技術に基いて、当業者が容易に発明をすることができたものであるから特許を受けることができない。
　　　　　　　　　　　　　　　　　　　　　　　　　　　　　　　　　
【周知例】
（１）特開平６−２１８０９２号公報
  「外回転ドラム８１」に図柄を形成し、「内回転ドラム８２」にその図柄と同色の「図柄無効表示部８４」と、図柄を透視し得る透明の「図柄有効表示部８３」とを形成した可変表示装置であって、内側の可変表示部材をＬＣＤ等の「電気的な可変表示器４７」で形成することが可能な可変表示装置。（段落【００１８】【００２８】【００２９】、図２、図５−図７）
　　　　　　　　　　　　　　　　　　　　　　　　　　　　　　　　　
（２）特開平１１−４７３４５号公報
　「リール表示窓１０４」と複数の「リール１０１〜１０３」の間に「液晶表示板１０９」を介在させ、「役」になり得る絵柄の組み合わせがあるとき、該「液晶表示板１０９」により「破線１４０」や点滅を表示する遊戯台。（特許請求の範囲の請求項３、段落【００３５】【００３６】【００３８】【００４０】、図３−図５）
　　　　　　　　　　　　　　　　　　　　　　　　　　　　　　　　　
（３）特開平１０−２０１９１１号公報
　「特別図柄表示装置１６」の「液晶表示パネル１６ｉ」の画面を、図柄データのリール画像を表示する「図柄面」と背景画像を表示する「背景画」と前面に配置された「前景画面」とから構成した遊技機。（【要約】、段落【００３０】【００３１】【００４２】−【００４６】、図３６）
　　　　　　　　　　　　　　　　　　　　　　　　　　　　　　　　　 
４．むすび 
　以上のとおり、本願発明は、引用発明１並びに引用発明２、３及び周知技術に基づいて、当業者が容易に発明をすることができたものであるから、特許法第２９条第２項の規定により特許を受けることができないものであり、本願の他の請求項について検討するまでもなく、本願は拒絶すべきものである。 
　よって、結論のとおり審決する。